(57)【要約】【課題】階層構造をなして保存される画像データの読み出し／保存に対する操作手順を簡略化する。【解決手段】ユーザ層、ＢＯＸ層、ファイル層の階層構造を持って画像データが保存されているハードディスクに対し、上位階層から下位階層に向かって画像データの読み出し先又は保存先の選択操作を行う際に、表示されるべきフォルダが１つのみである場合は表示を省略し、表示を省略したフォルダの１階層下位のフォルダ又はファイルを表示する。【選択図】図２
2006021347.tif 000002
【特許請求の範囲】
【請求項１】
階層構造を有するフォルダに分類された状態で画像データを保存する画像データ保存手段と、前記画像データ保存手段に対する画像データの読み出し／保存アクセスを前記階層構造の階層単位で選択的に行うための選択操作手段と、前記選択操作手段による前記画像データの読み出し／保存アクセス操作に連動してフォルダ又はファイルを階層毎に表示手段に表示させる表示制御手段と、を備えた画像形成装置において、
前記表示制御手段は、前記選択操作手段により前記階層構造の上位階層から下位階層に向かって選択操作を行う際に、表示されるべきフォルダが１つのみである場合は当該表示されるべきフォルダの表示を省略し、当該省略した表示されるべきフォルダの１階層下位のフォルダ又はファイルを表示するよう表示制御を行うことを特徴とする画像形成装置。
【請求項２】
請求項１に記載の画像形成装置において、
前記表示制御手段は、前記選択操作手段による選択操作の進行方向が下位階層から上位階層に向かう方向の際には、表示されるべきフォルダが１つのみである場合であっても、当該表示されるべきフォルダを表示するよう表示制御を行うことを特徴とする画像形成装置。
【請求項３】
階層構造を有するフォルダに分類された状態で画像データを保存する画像データ保存手段と、前記画像データ保存手段に対する画像データの読み出し／保存アクセスを前記階層構造の階層単位で選択的に行うための選択操作手段と、前記選択操作手段による前記画像データの読み出し／保存アクセス操作に連動してフォルダ又はファイルを階層毎に表示手段に表示させる表示制御手段と、を備えた画像形成装置において、
予めいずれかのフォルダに優先表示情報を付与するための優先表示情報付与手段を備え、
前記表示制御手段は、前記選択操作手段により前記階層構造の上位階層から下位階層に向かって選択操作を行う際に、途中のフォルダの表示を省略し、前記優先表示情報が付与されたフォルダの１階層下位のフォルダ又はファイルを表示するよう表示制御を行うことを特徴とする画像形成装置。
【請求項４】
請求項３に記載の画像形成装置において、
前記表示制御手段は、前記選択操作手段による選択操作の進行方向が下位階層から上位階層に向かう方向の際には、表示されるべきフォルダに前記優先表示情報が付与されているか否かにかかわらず、順次１階層上位のフォルダを表示するよう表示制御を行うことを特徴とする画像形成装置。
【請求項５】
階層構造を有するフォルダに分類された状態で画像データを画像データ保存手段に保存し、選択操作手段により前記画像データ保存手段に対する画像データの読み出し／保存アクセスを前記階層構造の階層単位で選択的に行い、前記選択操作手段による前記画像データの読み出し／保存アクセス操作に連動してフォルダ又はファイルを階層毎に表示手段に表示する画像形成装置の表示方法において、
前記選択操作手段により前記階層構造の上位階層から下位階層に向かって選択操作を行う際に、表示されるべきフォルダが１つのみである場合は当該表示されるべきフォルダの表示を省略し、当該省略した表示されるべきフォルダの１階層下位のフォルダ又はファイルを表示するよう表示制御を行うことを特徴とする画像形成装置の表示方法。
【請求項６】
請求項５に記載の画像形成装置の表示方法において、
前記選択操作手段による選択操作の進行方向が下位階層から上位階層に向かう方向の際には、表示されるべきフォルダが１つのみである場合であっても、当該表示されるべきフォルダを表示するよう表示制御を行うことを特徴とする画像形成装置の表示方法。
【請求項７】
階層構造を有するフォルダに分類された状態で画像データを画像データ保存手段に保存し、選択操作手段により前記画像データ保存手段に対する画像データの読み出し／保存アクセスを前記階層構造の階層単位で選択的に行い、前記選択操作手段による前記画像データの読み出し／保存アクセス操作に連動してフォルダ又はファイルを階層毎に表示手段に表示する画像形成装置の表示方法において、
予めいずれかのフォルダに優先表示情報を付与しておき、
前記選択操作手段により前記階層構造の上位階層から下位階層に向かって選択操作を行う際に、途中のフォルダの表示を省略し、前記優先表示情報が付与されたフォルダの１階層下位のフォルダ又はファイルを表示するよう表示制御を行うことを特徴とする画像形成装置の表示方法。
【請求項８】
請求項７に記載の画像形成装置の表示方法において、
前記選択操作手段による選択操作の進行方向が下位階層から上位階層に向かう方向の際には、表示されるべきフォルダに前記優先表示情報が付与されているか否かにかかわらず、順次１階層上位のフォルダを表示するよう表示制御を行うことを特徴とする画像形成装置の表示方法。
【発明の詳細な説明】
【技術分野】
【０００１】
本発明は、画像データの読み出し／保存を行う画像形成装置及び画像形成装置の表示方法に関する。
【背景技術】
【０００２】
一般に、複写機やプリンタ等の画像形成装置は、ハードディスク等の記憶手段を備えており、取得した画像データの保存や、保存されている画像データの読み出しが行われる。画像データを保存する際には、例えば、ユーザ毎にフォルダを設け、各ユーザのフォルダ内に画像データを格納したり、また、画像データを整理するために、さらに複数のフォルダに分類したりする。このように、画像データを保存するフォルダが階層構造になっている場合には、画像データの読み出し先又は保存先のフォルダを選択する際に、上位階層のフォルダから順に表示させ、ユーザが選択することにより、順次下位の階層へと移動する。
【０００３】
例えば、画像データをハードディスクに保存する際に、保存するフォルダの名称にユーザ名を登録しておき、画像データの読み出し又は保存を行う指示が入力された際に、フォルダに対応するユーザ名を表示部に一覧表示させる画像形成装置が提案されている（特許文献１参照。）。特許文献１に記載の画像形成装置では、予めフォルダ毎にパスワードを登録しておき、入力されたパスワードと登録されているパスワードとが一致した場合に、フォルダに格納されているファイル名を一覧表示する。さらに、予めフォルダに格納されるファイル毎に第２のパスワードを登録し、入力された第２のパスワードと登録されているパスワードとが一致した場合に、画像データに基づいた画像形成を行う。
【０００４】
また、画像形成に関する設定画面において、設定画面を階層構造とし、上位階層の画面にマーク選択ボタンを設け、任意の下位階層の画面にマーク選択ボタンと対応させたしおりマークを設け、上位階層の画面表示においてマーク選択ボタンを操作することにより、途中の階層画面表示を省略して、しおりマークを設けた下位階層の画面を表示する操作部表示方法が提案されている（特許文献２参照。）。
【特許文献１】特開２００３−３２６７７７号公報
【特許文献２】特開２００２−２７８３７５号公報
【発明の開示】
【発明が解決しようとする課題】
【０００５】
しかし、画像データの読み出し又は保存を行う際の表示画面において、画像形成装置を複数のユーザが使用する場合には、最初の画面に、登録されているユーザ名一覧が表示された方が使い勝手がよい。一方、ＰＯＤ（Print On Demand：オンデマンド印刷）等の軽印刷業界で一人のユーザが使用する場合には、ユーザ名に対応するフォルダの下位階層のフォルダ名、又はファイル名一覧が表示された方が使い易い場合があった。また、上位の階層から目的の階層に達するまでの操作が煩雑であるという問題があった。
【０００６】
本発明は上記の従来技術における問題に鑑みてなされたものであって、階層構造をなして保存される画像データの読み出し／保存に対する操作手順を簡略化することができる画像形成装置及び画像形成装置の表示方法を提供することを課題とする。
【課題を解決するための手段】
【０００７】
請求項１に記載の発明は、階層構造を有するフォルダに分類された状態で画像データを保存する画像データ保存手段と、前記画像データ保存手段に対する画像データの読み出し／保存アクセスを前記階層構造の階層単位で選択的に行うための選択操作手段と、前記選択操作手段による前記画像データの読み出し／保存アクセス操作に連動してフォルダ又はファイルを階層毎に表示手段に表示させる表示制御手段と、を備えた画像形成装置において、前記表示制御手段は、前記選択操作手段により前記階層構造の上位階層から下位階層に向かって選択操作を行う際に、表示されるべきフォルダが１つのみである場合は当該表示されるべきフォルダの表示を省略し、当該省略した表示されるべきフォルダの１階層下位のフォルダ又はファイルを表示するよう表示制御を行うことを特徴とする。
【０００８】
請求項２に記載の発明は、請求項１に記載の画像形成装置において、前記表示制御手段は、前記選択操作手段による選択操作の進行方向が下位階層から上位階層に向かう方向の際には、表示されるべきフォルダが１つのみである場合であっても、当該表示されるべきフォルダを表示するよう表示制御を行うことを特徴とする。
【０００９】
請求項３に記載の発明は、階層構造を有するフォルダに分類された状態で画像データを保存する画像データ保存手段と、前記画像データ保存手段に対する画像データの読み出し／保存アクセスを前記階層構造の階層単位で選択的に行うための選択操作手段と、前記選択操作手段による前記画像データの読み出し／保存アクセス操作に連動してフォルダ又はファイルを階層毎に表示手段に表示させる表示制御手段と、を備えた画像形成装置において、予めいずれかのフォルダに優先表示情報を付与するための優先表示情報付与手段を備え、前記表示制御手段は、前記選択操作手段により前記階層構造の上位階層から下位階層に向かって選択操作を行う際に、途中のフォルダの表示を省略し、前記優先表示情報が付与されたフォルダの１階層下位のフォルダ又はファイルを表示するよう表示制御を行うことを特徴とする。
【００１０】
請求項４に記載の発明は、請求項３に記載の画像形成装置において、前記表示制御手段は、前記選択操作手段による選択操作の進行方向が下位階層から上位階層に向かう方向の際には、表示されるべきフォルダに前記優先表示情報が付与されているか否かにかかわらず、順次１階層上位のフォルダを表示するよう表示制御を行うことを特徴とする。
【００１１】
請求項５に記載の発明は、階層構造を有するフォルダに分類された状態で画像データを画像データ保存手段に保存し、選択操作手段により前記画像データ保存手段に対する画像データの読み出し／保存アクセスを前記階層構造の階層単位で選択的に行い、前記選択操作手段による前記画像データの読み出し／保存アクセス操作に連動してフォルダ又はファイルを階層毎に表示手段に表示する画像形成装置の表示方法において、前記選択操作手段により前記階層構造の上位階層から下位階層に向かって選択操作を行う際に、表示されるべきフォルダが１つのみである場合は当該表示されるべきフォルダの表示を省略し、当該省略した表示されるべきフォルダの１階層下位のフォルダ又はファイルを表示するよう表示制御を行うことを特徴とする。
【００１２】
請求項６に記載の発明は、請求項５に記載の画像形成装置の表示方法において、前記選択操作手段による選択操作の進行方向が下位階層から上位階層に向かう方向の際には、表示されるべきフォルダが１つのみである場合であっても、当該表示されるべきフォルダを表示するよう表示制御を行うことを特徴とする。
【００１３】
請求項７に記載の発明は、階層構造を有するフォルダに分類された状態で画像データを画像データ保存手段に保存し、選択操作手段により前記画像データ保存手段に対する画像データの読み出し／保存アクセスを前記階層構造の階層単位で選択的に行い、前記選択操作手段による前記画像データの読み出し／保存アクセス操作に連動してフォルダ又はファイルを階層毎に表示手段に表示する画像形成装置の表示方法において、予めいずれかのフォルダに優先表示情報を付与しておき、前記選択操作手段により前記階層構造の上位階層から下位階層に向かって選択操作を行う際に、途中のフォルダの表示を省略し、前記優先表示情報が付与されたフォルダの１階層下位のフォルダ又はファイルを表示するよう表示制御を行うことを特徴とする。
【００１４】
請求項８に記載の発明は、請求項７に記載の画像形成装置の表示方法において、前記選択操作手段による選択操作の進行方向が下位階層から上位階層に向かう方向の際には、表示されるべきフォルダに前記優先表示情報が付与されているか否かにかかわらず、順次１階層上位のフォルダを表示するよう表示制御を行うことを特徴とする。
【発明の効果】
【００１５】
請求項１、５に記載の発明によれば、階層構造の上位階層から下位階層に向かって選択操作を行う際に、表示されるべきフォルダが１つのみである場合は表示を省略し、表示を省略したフォルダの１階層下位のフォルダ又はファイルを表示するので、階層構造をなして保存される画像データの読み出し／保存に対する操作手順を簡略化することができる。
【００１６】
請求項２、６に記載の発明によれば、選択操作の進行方向が下位階層から上位階層に向かう方向の際には、表示されるべきフォルダが１つのみである場合であっても、このフォルダを表示することができる。
【００１７】
請求項３、７に記載の発明によれば、階層構造の上位階層から下位階層に向かって選択操作を行う際に、途中のフォルダの表示を省略し、予め優先表示情報が付与されたフォルダの１階層下位のフォルダ又はファイルを表示するので、階層構造をなして保存される画像データの読み出し／保存に対する操作手順を簡略化することができる。
【００１８】
請求項４、８に記載の発明によれば、選択操作の進行方向が下位階層から上位階層に向かう方向の際には、表示されるべきフォルダに優先表示情報が付与されているか否かにかかわらず、順次１階層上位のフォルダを表示することができる。
【発明を実施するための最良の形態】
【００１９】
［第１の実施の形態］
以下、図を参照して本発明の第１の実施の形態を詳細に説明する。
図１に、第１の実施の形態における画像形成装置１の断面構成を示す。
図１に示すように、画像形成装置１は、画像読取部２０、操作部３０、プリンタ部４０、給紙ユニット５０、後処理ユニット６０、ハードディスク（Hard Disk Drive）８０を備えて構成される。
【００２０】
画像読取部２０は、自動紙送り機構であるＡＤＦ（Auto Document Feeder）部２１、スキャナ部２２を備えて構成される。ＡＤＦ部２１は、原稿台に載置された原稿を搬送してスキャナ部２２に送り出し、スキャナ部２２は、搬送された原稿を光走査してラインイメージセンサＣＣＤにより光電変換して原稿画像を読み取る。
【００２１】
画像読取部２０により読み取られた原稿画像データには、各種画像処理が施され、印刷用画像データとしてプリンタ部４０に出力される。
【００２２】
操作部３０は、表示部３１と、数字ボタン、印刷開始を指示するためのスタートボタン等の各種機能ボタンとから構成される。表示部３１は、ＬＣＤ（Liquid Crystal Display）とＬＣＤ上を覆うように設けられたタッチパネルから構成され、ファイルの読み出し又は保存アクセスを行う際の読み出し先又は保存先選択画面等の各種操作画面や、各種処理結果を表示する。すなわち、操作部３０は、表示手段及び選択操作手段としての機能を有する。
【００２３】
プリンタ部４０は、電子写真方式の画像形成を行うものであり、給紙ユニット５０から給紙された印刷用紙を搬送する搬送機構４１、印刷用紙に画像形成を行う画像形成部４２、印刷用紙上に形成されたトナー像を定着させる定着部４３から構成される。また、画像形成部４２は、像担持体である感光ドラム、感光ドラムの帯電を行う帯電部、画像データに基づいて感光ドラム表面に露光走査する露光部、感光ドラムにトナーを付着させる現像部、感光ドラム上に形成されたトナー像を印刷用紙に転写する転写部、感光ドラム上の残トナーを除去するクリーニング部から構成される。
【００２４】
給紙ユニット５０は、給紙トレイ５１〜５４の４つの給紙トレイを備えて構成される。なお、本実施の形態では、４つの給紙トレイを備えることとしたが、その数は特に限定しない。各給紙トレイ５１〜５４には、普通紙、裏紙、再生紙、上質紙等の用紙種及びサイズが異なる印刷用紙を収容することが可能である。
【００２５】
後処理ユニット６０は、画像形成された印刷用紙にソート処理、パンチ（穴開け）処理、ステープル処理等の各種後処理を施し、小冊子や製本を作成することが可能である。
【００２６】
ハードディスク８０は、画像データを保存する。図２に、ハードディスク８０内の階層構造の例を示す。図２に示す例では、ユーザ層、ＢＯＸ層、ファイル層の３階層の構造となっているが、階層数はいくつであってもかまわない。階層の最上位にあるルートディレクトリの直下には、ユーザ層として、ユーザ毎に分類されたフォルダが作成される。ここで、フォルダとは、ディレクトリと同義で使用する。ユーザ層の下位階層には、ＢＯＸ層として、ユーザ毎に１又は複数のフォルダが作成される。ＢＯＸ層の下位階層には、ファイル層として、画像データファイルが格納される。
【００２７】
次に、図３を参照して、画像形成装置１の内部構成を説明する。
図３に示すように、画像形成装置１は、制御部１０、画像読取部２０、操作部３０、プリンタ部４０、給紙ユニット５０、後処理ユニット６０、プリントコントローラ部７０、ハードディスク８０から構成される。なお、図１で説明した各部と同一の構成部には、同一の符号を付してその説明を省略することとする。
【００２８】
制御部１０は、画像制御部１１、プログラムメモリ１２、ＲＡＭ（Random Access Memory）１３、記憶部１４、読取処理部１５、ＤＲＡＭ制御ＩＣ１６、画像メモリ１７、書込処理部１８、ハードディスク処理部１９から構成される。
【００２９】
画像制御部１１は、ＣＰＵ（Central Processing Unit）等から構成され、プログラムメモリ１２に格納されている各種処理プログラムを読み出して、当該プログラムとの協働により画像形成装置１の各部の処理動作を統括的に制御する。
【００３０】
プログラムメモリ１２は、画像形成装置１の印刷に係る各種処理プログラム等を記憶する。
【００３１】
ＲＡＭ１３は、画像制御部１１により実行される各種プログラム及びこれらプログラムに係るデータを一時的に記憶するワークエリアを形成する。
【００３２】
記憶部１４は、不揮発性メモリ等から構成され、後述するユーザ名、ＢＯＸ名に対応するパスワード等を記憶する。
【００３３】
読取処理部１５は、画像読取部２０のスキャナ部２２から入力されるアナログ画像信号に、シェーディング補正処理、Ａ／Ｄ変換処理を行ってデジタル画像データを生成する。生成された画像データは、ＤＲＡＭ制御ＩＣ１６に出力される。
【００３４】
ＤＲＡＭ制御ＩＣ１６は、画像制御部１１からの指示に従って、画像データに圧縮／伸張処理を施すとともに、画像メモリ１７への画像データの入出力制御を行う。例えば、ＤＲＡＭ制御ＩＣ１６は、画像データの読み取りが指示されると、読取処理部１５から入力された画像データに圧縮処理を施して、画像メモリ１７の圧縮メモリ１７ａに格納させる。また、ＤＲＡＭ制御ＩＣ１６は、画像データの印刷出力が指示されると、圧縮メモリ１７ａから圧縮画像データを読み出し、伸張処理を施して書込処理部１８に出力する。
【００３５】
画像メモリ１７は、ＤＲＡＭ（Dynamic RAM）から構成され、圧縮メモリ１７ａを備える。圧縮メモリ１７ａは、圧縮画像データを格納するためのメモリである。
【００３６】
書込処理部１８は、ＤＲＡＭ制御ＩＣ１６から入力された画像データに基づいて、画像形成のための印刷データを生成し、プリンタ部４０に出力する。
【００３７】
ハードディスク処理部１９は、画像データの読み出し／保存、フォルダの作成等、ハードディスク８０にアクセスするための規定のシーケンス（ＩＤＥ：Integrated Drive Electronics等）を制御する。ハードディスク処理部１９は、画像データのハードディスク８０への保存が指示されると、ＤＲＡＭ制御ＩＣ１６に画像メモリ１７の圧縮メモリ１７ａに格納された圧縮画像データを読み出させ、読み出された圧縮画像データをハードディスク８０へ保存させる。また、ハードディスク処理部１９は、画像データのハードディスク８０からの読み出しが指示されると、ハードディスク８０に格納された圧縮画像データを読み出し、読み出された圧縮画像データを画像メモリ１７の圧縮メモリ１７ａに格納させる。
【００３８】
画像読取部２０は、ＡＤＦ部２１、スキャナ部２２、読取制御部２３から構成される。読取制御部２３は、画像制御部１１からの指示に従って、ＡＤＦ部２１、スキャナ部２２を制御して原稿面の光走査を実行させ、読み取られたアナログ画像信号を制御部１０の読取処理部１５に出力する。
【００３９】
操作部３０は、表示部３１と一体型に構成されるタッチパネル、各種機能ボタン、操作部制御部３２から構成される。操作部制御部３２は、各種機能ボタン又はタッチパネルにより操作された操作信号を画像制御部１１に出力する。また、操作部制御部３２は、画像制御部１１からの指示に従って、表示部３１に各種操作画面や、各種処理結果を表示させる。
【００４０】
プリンタ部４０は、画像形成部４２等の印刷に係る各部やプリンタ制御部４４を備えて構成される。プリンタ制御部４４は、画像制御部１１からの指示に従って、プリンタ部４０の各部の動作を制御し、書込処理部１８から入力された画像データに基づいて印刷用紙に画像形成を行わせる。
【００４１】
給紙ユニット５０は、図１に示した給紙トレイ５１〜５４を備えて構成される。また、後処理ユニット６０は、プリンタ部４０から出力された画像形成済みの印刷用紙に各種後処理を施す。
【００４２】
プリントコントローラ部７０は、ＬＡＮ（Local Area Network）等の通信回線を介して外部のＰＣから受信した画像データを画像形成可能なデータに変換し、ＤＲＡＭ制御ＩＣ１６に出力する。
【００４３】
次に、第１の実施の形態における動作を説明する。
図４は、画像形成装置１により実行される画像読み出し処理１を示すフローチャートである。画像読み出し処理１は、ハードディスク８０に保存されている画像データファイルを読み出して、画像出力する処理である。
【００４４】
図４に示すように、まず、操作部３０の表示部３１に表示された操作画面において、ユーザにより読み出し釦が押下されると（ステップＳ１）、ハードディスク８０からユーザ層のフォルダ（以下、ユーザフォルダという。）の名称であるユーザ名が取得され、登録されているユーザフォルダが１つであるか否かが判断される（ステップＳ２）。
【００４５】
ユーザフォルダが１つでない場合には（ステップＳ２；ＮＯ）、表示部３１にユーザ名一覧が表示される（ステップＳ３）。図５に、ユーザ名選択画面３１１（ユーザ名一覧）の表示例を示す。図５に示す各ユーザ名の左端に鍵マークが表示されているユーザについては、パスワードが設定されている。
【００４６】
ユーザ名選択画面３１１において、ユーザによりユーザ名一覧の中からいずれかのユーザ名（例えば「ＤＤＤＤＤ」ａ１）が選択され（ステップＳ４）、ＯＫ釦ａ２が押下されると、表示部３１に、図６に示すパスワード入力画面３１２が表示される。ユーザによりパスワードが入力され、記憶部１４に記憶されているユーザ名に対応するパスワードと一致するか否かが判断される。該当するユーザにパスワードが設定されていない場合には、パスワードによる認証は省略される。
【００４７】
次に、ハードディスク８０から、選択されたユーザ名のユーザフォルダの下位階層のフォルダ（以下、ＢＯＸフォルダという。）の名称であるＢＯＸ名が取得され、ＢＯＸフォルダが１つであるか否かが判断される（ステップＳ５）。選択されたユーザ名のＢＯＸフォルダが１つでない場合には（ステップＳ５；ＮＯ）、表示部３１にＢＯＸ名一覧が表示される（ステップＳ６）。図７に、ＢＯＸ名選択画面３１３（ＢＯＸ名一覧）の表示例を示す。図７は、ユーザフォルダ「ＤＤＤＤＤ」の下位階層のＢＯＸフォルダ「ＢＯＸ_11」、「ＢＯＸ_12」、「ＢＯＸ_13」が表示されている例である。図７に示す各ＢＯＸ名の左端に鍵マークが表示されているＢＯＸフォルダについては、パスワードが設定されている。
【００４８】
ＢＯＸ名選択画面３１３において、ユーザによりＢＯＸ名一覧の中からいずれかのＢＯＸ名（例えば「ＢＯＸ_11」ｂ１）が選択され（ステップＳ７）、ＯＫ釦ｂ２が押下されると、表示部３１に、図８に示すパスワード入力画面３１４が表示される。ユーザによりパスワードが入力され、記憶部１４に記憶されているＢＯＸ名に対応するパスワードと一致するか否かが判断される。該当するＢＯＸにパスワードが設定されていない場合には、パスワードによる認証は省略される。
【００４９】
次に、ハードディスク８０から、選択されたＢＯＸ名のＢＯＸフォルダに格納されているファイル名が取得され、表示部３１に、ファイル名一覧が表示される（ステップＳ９）。図９に、ファイル名選択画面３１５（ファイル名一覧）の表示例を示す。ファイル名選択画面３１５において、ユーザによりファイル名一覧の中から読み出し対象となるファイル名（ここでは「ＦＩＬＥ１」ｃ１）が選択され（ステップＳ１０）、矢印釦ｃ２が押下されると、図１０に示すように、「ＦＩＬＥ１」が選択された状態になる。さらに、ファイル名選択画面３１５において、ファイル名一覧の中から読み出し対象となるファイル名（ここでは「ＦＩＬＥ３」ｃ４）が選択され（ステップＳ１０）、矢印釦ｃ２が押下されると、図１１に示すように、「ＦＩＬＥ１」、「ＦＩＬＥ３」が選択された状態になる。同様に、ファイル名選択画面３１５において、ファイル名一覧の中から読み出し対象となるファイル名（ここでは「ＦＩＬＥ５」ｃ５）が選択され（ステップＳ１０）、矢印釦ｃ２が押下されると、「ＦＩＬＥ１」、「ＦＩＬＥ３」、「ＦＩＬＥ５」が選択された状態になる。
【００５０】
そして、ユーザによりＯＫ釦ｃ６が押下されると、選択ファイル名が確定し、選択された画像データファイルがハードディスク８０から読み出され、読み出された画像データファイルに基づいて、画像形成部４２により画像形成が行われる（ステップＳ１１）。
【００５１】
ステップＳ５において、選択されたユーザ名のユーザフォルダに含まれるＢＯＸフォルダが１つである場合には（ステップＳ５；ＹＥＳ）、ＢＯＸ名一覧表示は省略され、図９に示すように、そのＢＯＸフォルダに格納されているファイル名一覧が表示される（ステップＳ９）。
【００５２】
また、ステップＳ２においてユーザフォルダが１つである場合には（ステップＳ２；ＹＥＳ）、ユーザ名一覧表示は省略され、そのユーザのＢＯＸフォルダが１つであるか否かが判断される（ステップＳ８）。そのユーザのＢＯＸフォルダが１つでない場合には（ステップＳ８；ＮＯ）、図７に示すように、表示部３１にＢＯＸ名一覧が表示される（ステップＳ６）。ただし、この場合には、図７に示すＢＯＸ名選択画面３１３において、“戻る”釦ｂ３は表示されない。“戻る”釦とは、現在表示されている階層より１階層上位の階層のフォルダ一覧を表示する指示を入力するための釦である。
【００５３】
また、ステップＳ２においてユーザフォルダが１つであって（ステップＳ２；ＹＥＳ）、さらに、そのユーザのＢＯＸフォルダが１つである場合には（ステップＳ８；ＹＥＳ）、ユーザ名一覧表示及びＢＯＸ名一覧表示は省略され、図９に示すように、そのＢＯＸフォルダに格納されているファイル名一覧が表示される（ステップＳ９）。ただし、この場合には、図９に示すファイル名選択画面３１５において、“戻る”釦ｃ３は表示されない。
【００５４】
第１の実施の形態における画像形成装置１によれば、階層構造の上位階層から下位階層に向かって選択操作を行う際に、表示されるべきフォルダが１つのみである場合は表示を省略し、表示を省略したフォルダの１階層下位のフォルダ又はファイルを表示するので、階層構造をなして保存される画像データの読み出しに対する操作手順を簡略化することができる。
【００５５】
［第２の実施の形態］
次に、本発明を適用した第２の実施の形態について説明する。
第２の実施の形態における画像形成装置は、第１の実施の形態に示した画像形成装置１と同様の構成であるため、同一の構成部分については同一の符号を付し、その構成については図示及び説明を省略する。以下、第２の実施の形態に特徴的な処理について説明する。
【００５６】
図１２は、第２の実施の形態の画像形成装置により実行される画像保存処理１を示すフローチャートである。画像保存処理１は、画像を読み込み、読み込まれた画像データを画像形成装置のハードディスク８０に保存させる処理である。
【００５７】
図１２に示すように、まず、操作部３０の表示部３１に表示された操作画面において、ユーザにより保存釦が押下されると（ステップＳ２１）、ハードディスク８０からユーザ名が取得され、登録されているユーザフォルダが１つであるか否かが判断される（ステップＳ２２）。
【００５８】
ユーザフォルダが１つでない場合には（ステップＳ２２；ＮＯ）、表示部３１にユーザ名一覧が表示される（ステップＳ２３）。図１３に、ユーザ名選択画面３１６（ユーザ名一覧）の表示例を示す。図１３に示す各ユーザ名の左端に鍵マークが表示されているユーザについては、パスワードが設定されている。
【００５９】
ここで、ユーザ名が新規登録されない場合には（ステップＳ２４；ＮＯ）、ユーザ名選択画面３１６において、ユーザによりユーザ名一覧の中からいずれかのユーザ名（例えば「ＫＫＫＫＫ」ｄ１）が選択され（ステップＳ２５）、ＯＫ釦ｄ２が押下される。すると、表示部３１に、図１４に示すパスワード入力画面３１７が表示される。ユーザによりパスワードが入力され、記憶部１４に記憶されているユーザ名に対応するパスワードと一致するか否かが判断される。該当するユーザ名にパスワードが設定されていない場合には、パスワードによる認証は省略される。
【００６０】
次に、ハードディスク８０から、選択されたユーザ名のユーザフォルダの下位階層のＢＯＸ名が取得され、ＢＯＸフォルダが１つであるか否かが判断される（ステップＳ２６）。選択されたユーザ名のＢＯＸフォルダが１つでない場合には（ステップＳ２６；ＮＯ）、表示部３１にＢＯＸ名一覧が表示される（ステップＳ２７）。図１５に、ＢＯＸ名選択画面３１８（ＢＯＸ名一覧）の表示例を示す。図１５は、ユーザフォルダ「ＫＫＫＫＫ」の下位階層のＢＯＸフォルダ「ＢＯＸ_11」、「ＢＯＸ_12」、「ＢＯＸ_13」が表示されている例である。図１５に示す各ＢＯＸ名の左端に鍵マークが表示されているＢＯＸフォルダについては、パスワードが設定されている。
【００６１】
ＢＯＸ名選択画面３１８において、“戻る”釦ｅ４が押下されず（ステップＳ２８；ＮＯ）、ＢＯＸ名が新規登録されない場合には（ステップＳ２９；ＮＯ）、ユーザによりＢＯＸ名一覧の中からいずれかのＢＯＸ名（例えば「ＢＯＸ_11」ｅ１）が選択され（ステップＳ３０）、ＯＫ釦ｅ２が押下される。すると、表示部３１に、図１６に示すパスワード入力画面３１９が表示される。ユーザによりパスワードが入力され、記憶部１４に記憶されているＢＯＸ名に対応するパスワードと一致するか否かが判断される。該当するＢＯＸ名にパスワードが設定されていない場合には、パスワードによる認証は省略される。
【００６２】
次に、図１７に示すように、表示部３１に、画像データのファイル名入力画面３２０が表示される（ステップＳ３２）。図１７は、ユーザフォルダ「ＫＫＫＫＫ」の下位階層のＢＯＸフォルダ「ＢＯＸ_11」に画像データを保存する場合の例である。ファイル名入力画面３２０において、“戻る”釦ｆ１が押下されず（ステップＳ３３；ＮＯ）、ファイル名及びパスワードが入力され（ステップＳ３４）、ＯＫ釦ｆ２が押下されると、表示部３１に、図１８に示すような読み込み画面３２１が表示される。なお、パスワードは必要に応じて入力すればよく、パスワード無しでも登録可能である。読み込み画面３２１にて読み込み条件が設定され、スタート釦が押下されることにより、設定された読み込み条件に基づいて画像読取部２０により画像の読み込みが行われ、ステップＳ３４で入力されたファイル名で画像データがハードディスク８０に保存される（ステップＳ３５）。
【００６３】
ステップＳ２６において、選択されたユーザ名のユーザフォルダに含まれるＢＯＸフォルダが１つである場合には（ステップＳ２６；ＹＥＳ）、ＢＯＸ名一覧表示は省略され、図１７に示すように、そのＢＯＸフォルダに格納される画像データのファイル名入力画面３２０が表示される（ステップＳ３２）。
【００６４】
また、ステップＳ２２においてユーザフォルダが１つである場合には（ステップＳ２２；ＹＥＳ）、ユーザ名一覧表示は省略され、そのユーザのＢＯＸフォルダが１つであるか否かが判断される（ステップＳ３１）。そのユーザのＢＯＸフォルダが１つでない場合には（ステップＳ３１；ＮＯ）、図１５に示すように、表示部３１にＢＯＸ名一覧が表示される（ステップＳ２７）。
【００６５】
また、ステップＳ２２においてユーザフォルダが１つであって（ステップＳ２２；ＹＥＳ）、さらに、そのユーザのＢＯＸフォルダが１つである場合には（ステップＳ３１；ＹＥＳ）、ユーザ名一覧表示及びＢＯＸ名一覧表示は省略され、図１７に示すように、そのＢＯＸフォルダに格納される画像データのファイル名入力画面３２０が表示される（ステップＳ３２）。
【００６６】
また、ステップＳ２８において、図１５に示すＢＯＸ名選択画面３１８にて“戻る”釦ｅ４が押下された場合には（ステップＳ２８；ＹＥＳ）、表示部３１にユーザ名一覧が表示される（ステップＳ２３）。
【００６７】
また、ステップＳ３３において、図１７に示すファイル名入力画面３２０にて“戻る”釦ｆ１が押下された場合には（ステップＳ３３；ＹＥＳ）、表示部３１にＢＯＸ名一覧が表示される（ステップＳ２７）。
【００６８】
ユーザ名を新規に登録する場合について説明する。図１３に示すユーザ名選択画面３１６において、新規登録釦ｄ３が押下された場合には（ステップＳ２４；ＹＥＳ）、図１９に示すユーザ名登録画面３２２が表示される。そして、ユーザ名登録画面３２２において、新規ユーザ名及びパスワードが登録される（ステップＳ３６）。なお、パスワードは必要に応じて入力すればよく、パスワード無しでも登録可能である。
【００６９】
次に、ＢＯＸ名を新規に登録する場合について説明する。図１５に示すＢＯＸ名選択画面３１８において新規登録釦ｅ３が押下された場合（ステップＳ２９；ＹＥＳ）、又は、新規ユーザ名が登録された場合には（ステップＳ３６）、図２０に示すＢＯＸ名登録画面３２３が表示され、新規ＢＯＸ名及びパスワードが登録される（ステップＳ３７）。なお、パスワードは必要に応じて入力すればよく、パスワード無しでも登録可能である。そして、新規ＢＯＸ名のＢＯＸフォルダに格納される画像データのファイル名入力画面が表示される（ステップＳ３２）。
【００７０】
図２１及び図２２に、ハードディスク８０内の階層構造と画面表示の関係を示す。
図２１に示すように、画像データが保存される際に、ユーザフォルダが１つの場合には、ユーザ名一覧は表示されず（ステップＴ１）、ＢＯＸ名一覧が表示される（ステップＴ２）。そして、ユーザによりＢＯＸ名一覧の中からいずれかのＢＯＸ名が選択されると、選択されたＢＯＸフォルダに画像データを保存するためのファイル名入力画面が表示される（ステップＴ３）。
【００７１】
このファイル名入力画面において、“戻る”釦が押下されると（ステップＴ４）、ユーザフォルダ「ＰＵＢＬＩＣ  ＵＳＥＲ」の下位階層のＢＯＸ名一覧が表示される（ステップＴ２）。ＢＯＸ名一覧において、“戻る”釦が押下されると（ステップＴ５）、ユーザ名一覧が表示される（ステップＴ６）。
【００７２】
また、図２２に示すように、画像データが保存される際に、ユーザフォルダが１つであって、さらに、ＢＯＸフォルダが１つの場合には、ユーザ名一覧及びＢＯＸ名一覧は表示されず（ステップＴ１１，Ｔ１２）、ファイル名入力画面が表示される（ステップＴ１３）。
【００７３】
このファイル名入力画面において、“戻る”釦が押下されると（ステップＴ１４）、ＢＯＸ名一覧が表示される（ステップＴ１５）。さらに、ＢＯＸ名一覧において、“戻る”釦が押下されると（ステップＴ１６）、ユーザ名一覧が表示される（ステップＴ１７）。
【００７４】
このように、上位階層から下位階層へ画面遷移する場合には、フォルダが１つの場合にはその階層のフォルダ一覧表示を省略して、１階層下位の階層を表示するのに対し、下位階層から上位階層へ画面遷移する場合には、フォルダが１つの場合にもその階層のフォルダ一覧を表示する。
【００７５】
第２の実施の形態における画像形成装置によれば、階層構造の上位階層から下位階層に向かって選択操作を行う際に、表示されるべきフォルダが１つのみである場合は表示を省略し、表示を省略したフォルダの１階層下位のフォルダ又はファイルを表示するので、階層構造をなして保存される画像データの保存に対する操作手順を簡略化することができる。
【００７６】
また、選択操作の進行方向が下位階層から上位階層に向かう方向の際には、表示されるべきフォルダが１つのみである場合であっても、このフォルダを表示することができる。
【００７７】
［第３の実施の形態］
次に、本発明を適用した第３の実施の形態について説明する。
第３の実施の形態における画像形成装置は、第１の実施の形態に示した画像形成装置１と同様の構成であるため、同一の構成部分については同一の符号を付し、その構成については図示及び説明を省略する。以下、第３の実施の形態に特徴的な処理について説明する。
【００７８】
第３の実施の形態では、ハードディスク８０に格納されているいずれかのフォルダに対して、予め優先表示情報（以下、しおりという。）を付与することが可能となっている。例えば、図２３に示すように、画像データを読み出す際の操作画面において、表示部３１に、ユーザフォルダ「ＤＤＤＤＤ」の下位階層のＢＯＸ名を選択するためのＢＯＸ名選択画面３２４が表示されている状態で、しおり釦ｇ１を押下することにより、ユーザフォルダ「ＤＤＤＤＤ」にしおりを付与することができる。どのフォルダにしおりが付与されているかという情報は、ハードディスク８０内に保存される。すなわち、制御部１０及び操作部３０は、優先表示情報付与手段としての機能を有する。
【００７９】
また、図２４に示すように、画像データを読み出す際の操作画面において、表示部３１に、ユーザフォルダ「ＤＤＤＤＤ」の下位階層のＢＯＸフォルダ「ＢＯＸ_11」に格納されているファイルを選択するためのファイル名選択画面３２５が表示されている状態で、しおり釦ｈ１を押下することにより、ＢＯＸフォルダ「ＢＯＸ_11」にしおりを付与することができる。
【００８０】
図２５は、第３の実施の形態の画像形成装置により実行される画像読み出し処理２を示すフローチャートである。画像読み出し処理２は、ハードディスク８０に保存されている画像データファイルを読み出して、画像出力する処理である。
【００８１】
図２５に示すように、まず、操作部３０の表示部３１に表示された操作画面において、ユーザにより読み出し釦が押下されると（ステップＳ４１）、ハードディスク８０からユーザ名が取得され、しおりが付与されているユーザフォルダがあるか否かが判断される（ステップＳ４２）。
【００８２】
しおりが付与されているユーザフォルダがない場合には（ステップＳ４２；ＮＯ）、表示部３１にユーザ名一覧が表示される（ステップＳ４３）。そして、ユーザによりユーザ名一覧の中からいずれかのユーザ名が選択される（ステップＳ４４）。
【００８３】
しおりが付与されているユーザフォルダがある場合（ステップＳ４２；ＹＥＳ）、又は、ステップＳ４４においてユーザ名が選択された場合には、ハードディスク８０から、しおりが付与されているユーザフォルダ又は選択されたユーザ名のユーザフォルダの下位階層のＢＯＸ名が取得され、しおりが付与されているＢＯＸフォルダがあるか否かが判断される（ステップＳ４５）。
【００８４】
しおりが付与されているＢＯＸフォルダがない場合には（ステップＳ４５；ＮＯ）、表示部３１に、しおりが付与されているユーザフォルダ又は選択されたユーザ名のユーザフォルダの１階層下位のＢＯＸ名一覧が表示される（ステップＳ４６）。例えば、ユーザフォルダ「ＤＤＤＤＤ」にしおりが付与されている場合、又は、ステップＳ４４においてユーザ名「ＤＤＤＤＤ」が選択された場合には、図２３に示すようなユーザフォルダ「ＤＤＤＤＤ」の１階層下位のＢＯＸ名一覧（ＢＯＸ名選択画面３２４）が表示される。すなわち、ユーザフォルダ「ＤＤＤＤＤ」にしおりが付与されている場合には、ユーザ名一覧表示は省略される。
【００８５】
ＢＯＸ名選択画面３２４において、ユーザにより“戻る”釦ｇ２が押下されず（ステップＳ４７；ＮＯ）、ＢＯＸ名一覧の中からいずれかのＢＯＸ名（例えば「ＢＯＸ_11」ｇ３）が選択され（ステップＳ４８）、ＯＫ釦ｇ４が押下されると、ハードディスク８０から、選択されたＢＯＸ名のＢＯＸフォルダに格納されているファイル名が取得され、表示部３１にファイル名一覧が表示される（ステップＳ４９）。例えば、ＢＯＸフォルダ「ＢＯＸ_11」が選択された場合には、図２４に示すように、ＢＯＸフォルダ「ＢＯＸ_11」の１階層下位のファイル名一覧（ファイル名選択画面３２５）が表示される。
【００８６】
ステップＳ４５において、しおりが付与されているＢＯＸフォルダがある場合には（ステップＳ４５；ＹＥＳ）、ハードディスク８０から、しおりが付与されているＢＯＸフォルダに格納されているファイル名が取得され、表示部３１にファイル名一覧が表示される（ステップＳ５０）。例えば、ＢＯＸフォルダ「ＢＯＸ_11」にしおりが付与されている場合には、図２４に示すように、ＢＯＸフォルダ「ＢＯＸ_11」の１階層下位のファイル名一覧（ファイル名選択画面３２５）が表示される。すなわち、ＢＯＸフォルダ「ＢＯＸ_11」にしおりが付与されている場合には、ユーザ名一覧表示及びＢＯＸ名一覧表示は省略される。
【００８７】
図２４に示すファイル名選択画面３２５において、ユーザにより“戻る”釦ｈ２が押下されず（ステップＳ５１；ＮＯ）、ファイル名一覧の中から読み出し対象となるファイル名（例えば「ＦＩＬＥ１」ｈ３）が選択され（ステップＳ５２）、矢印釦ｈ４が押下され、ＯＫ釦ｈ５が押下されると、選択ファイル名が確定する。そして、選択された画像データファイルがハードディスク８０から読み出され、読み出された画像データファイルに基づいて、画像形成部４２により画像形成が行われる（ステップＳ５３）。
【００８８】
ステップＳ４７において、図２３に示すＢＯＸ名選択画面３２４にて“戻る”釦ｇ２が押下された場合には（ステップＳ４７；ＹＥＳ）、表示部３１に、１階層上位のユーザ名一覧が表示される（ステップＳ４３）。
【００８９】
また、ステップＳ５１において、図２４に示すファイル名選択画面３２５にて“戻る”釦ｈ２が押下された場合には（ステップＳ５１；ＹＥＳ）、表示部３１に、１階層上位のＢＯＸ名一覧が表示される（ステップＳ４６）。
【００９０】
図２６に、ハードディスク８０内の階層構造と画面表示の関係を示す。
図２６に示すように、画像データが読み出される際に、ユーザフォルダ「ＰＵＢＬＩＣ  ＵＳＥＲ」の下位階層のＢＯＸフォルダ「ＢＯＸ_01」にしおりが付与されている場合には、ユーザ名一覧及びＢＯＸ名一覧は表示されず（ステップＴ２１，Ｔ２２）、ＢＯＸフォルダ「ＢＯＸ_01」に格納されているファイル名一覧が表示される（ステップＴ２３）。
【００９１】
このファイル名一覧において、“戻る”釦が押下されると（ステップＴ２４）、ユーザフォルダ「ＰＵＢＬＩＣ  ＵＳＥＲ」の下位階層のＢＯＸ名一覧が表示される（ステップＴ２５）。さらに、ＢＯＸ名一覧において、“戻る”釦が押下されると（ステップＴ２６）、ユーザ名一覧が表示される（ステップＴ２７）。
【００９２】
このように、上位階層から下位階層へ画面遷移する場合には、途中のフォルダの表示を省略して、しおりが付与されているフォルダの１階層下位の階層を表示するのに対し、下位階層から上位階層へ画面遷移する場合には、フォルダにしおりが付与されているか否かにかかわらず、その階層のフォルダ一覧を表示する。
【００９３】
第３の実施の形態における画像形成装置によれば、階層構造の上位階層から下位階層に向かって選択操作を行う際に、途中のフォルダの表示を省略し、予めしおりが付与されたフォルダの１階層下位のフォルダ又はファイルを表示するので、階層構造をなして保存される画像データの読み出しに対する操作手順を簡略化することができる。
【００９４】
また、選択操作の進行方向が下位階層から上位階層に向かう方向の際には、表示されるべきフォルダにしおりが付与されているか否かにかかわらず、順次１階層上位のフォルダを表示することができる。
【００９５】
［第４の実施の形態］
次に、本発明を適用した第４の実施の形態について説明する。
第４の実施の形態における画像形成装置は、第１の実施の形態に示した画像形成装置１と同様の構成であるため、同一の構成部分については同一の符号を付し、その構成については図示及び説明を省略する。以下、第４の実施の形態に特徴的な処理について説明する。
【００９６】
第４の実施の形態においても、第３の実施の形態と同様に、ハードディスク８０に格納されているいずれかのフォルダに対して、予めしおりを付与することが可能となっている。例えば、図２７に示すように、画像データを保存する際の操作画面において、表示部３１に、ユーザフォルダ「ＫＫＫＫＫ」の下位階層のＢＯＸ名を選択するためのＢＯＸ名選択画面３２６が表示されている状態で、しおり釦ｉ１を押下することにより、ユーザフォルダ「ＫＫＫＫＫ」にしおりを付与することができる。どのフォルダにしおりが付与されているかという情報は、ハードディスク８０内に保存される。
【００９７】
また、図２８に示すように、画像データを保存する際の操作画面において、表示部３１に、ユーザフォルダ「ＫＫＫＫＫ」の下位階層のＢＯＸフォルダ「ＢＯＸ_11」に格納する画像データのファイル名を入力するためのファイル名入力画面３２７が表示されている状態で、しおり釦ｊ１を押下することにより、ＢＯＸフォルダ「ＢＯＸ_11」にしおりを付与することができる。
【００９８】
図２９は、第４の実施の形態の画像形成装置により実行される画像保存処理２を示すフローチャートである。画像保存処理２は、画像を読み込み、読み込まれた画像データを画像形成装置のハードディスク８０に保存させる処理である。
【００９９】
図２９に示すように、まず、操作部３０の表示部３１に表示された操作画面において、ユーザにより保存釦が押下されると（ステップＳ６１）、ハードディスク８０からユーザ名が取得され、しおりが付与されているユーザフォルダがあるか否かが判断される（ステップＳ６２）。
【０１００】
しおりが付与されているユーザフォルダがない場合には（ステップＳ６２；ＮＯ）、表示部３１にユーザ名一覧が表示される（ステップＳ６３）。そして、ユーザ名が新規登録されない場合には（ステップＳ６４；ＮＯ）、ユーザによりユーザ名一覧の中からいずれかのユーザ名が選択される（ステップＳ６５）。
【０１０１】
しおりが付与されているユーザフォルダがある場合（ステップＳ６２；ＹＥＳ）、又は、ステップＳ６５においてユーザ名が選択された場合には、ハードディスク８０から、しおりが付与されているユーザフォルダ又は選択されたユーザ名のユーザフォルダの下位階層のＢＯＸ名が取得され、しおりが付与されているＢＯＸフォルダがあるか否かが判断される（ステップＳ６６）。
【０１０２】
しおりが付与されているＢＯＸフォルダがない場合には（ステップＳ６６；ＮＯ）、表示部３１に、しおりが付与されているユーザフォルダ又はステップＳ６５において選択されたユーザ名のユーザフォルダの１階層下位のＢＯＸ名一覧が表示される（ステップＳ６７）。例えば、ユーザフォルダ「ＫＫＫＫＫ」にしおりが付与されている場合、又は、ステップＳ６５においてユーザ名「ＫＫＫＫＫ」が選択された場合には、図２７に示すようなユーザフォルダ「ＫＫＫＫＫ」の１階層下位のＢＯＸ名一覧（ＢＯＸ名選択画面３２６）が表示される。すなわち、ユーザフォルダ「ＫＫＫＫＫ」にしおりが付与されている場合には、ユーザ名一覧表示は省略される。
【０１０３】
ＢＯＸ名選択画面３２６において、ユーザにより“戻る”釦ｉ２が押下されず（ステップＳ６８；ＮＯ）、ＢＯＸ名が新規登録されない場合には（ステップＳ６９；ＮＯ）、ＢＯＸ名一覧の中からいずれかのＢＯＸ名（例えば「ＢＯＸ_11」ｉ３）が選択され（ステップＳ７０）、ＯＫ釦ｉ４が押下されると、選択されたＢＯＸ名のＢＯＸフォルダに格納される画像データのファイル名入力画面が表示される（ステップＳ７１）。例えば、ユーザフォルダ「ＫＫＫＫＫ」の下位階層のＢＯＸフォルダ「ＢＯＸ_11」が選択された場合には、図２８に示すように、ＢＯＸフォルダ「ＢＯＸ_11」に画像データを保存するためのファイル名入力画面３２７が表示される。
【０１０４】
ステップＳ６６において、しおりが付与されているＢＯＸフォルダがある場合には（ステップＳ６６；ＹＥＳ）、しおりが付与されているＢＯＸフォルダに格納される画像データのファイル名入力画面が表示される（ステップＳ７２）。例えば、ユーザフォルダ「ＫＫＫＫＫ」の下位階層のＢＯＸフォルダ「ＢＯＸ_11」にしおりが付与されている場合には、図２８に示すように、しおりが付与されているＢＯＸフォルダ「ＢＯＸ_11」に画像データを保存するためのファイル名入力画面３２７が表示される（ステップＳ７２）。
【０１０５】
また、ステップＳ６４において、ユーザ名が新規登録される場合には（ステップＳ６４；ＹＥＳ）、表示部３１にユーザ名登録画面が表示され、新規ユーザ名が登録される（ステップＳ７３）。ステップＳ６９においてＢＯＸ名が新規登録される場合（ステップＳ６９；ＹＥＳ）、又は、新規ユーザ名が登録された場合には（ステップＳ７３）、表示部３１にＢＯＸ名登録画面が表示され、新規ＢＯＸ名が登録される（ステップＳ７４）。そして、新規ＢＯＸフォルダに格納される画像データのファイル名入力画面が表示される（ステップＳ７５）。例えば、ユーザフォルダ「ＫＫＫＫＫ」の下位にＢＯＸフォルダ「ＢＯＸ_11」が登録された場合には、図２８に示すように、ＢＯＸフォルダ「ＢＯＸ_11」に画像データを保存するためのファイル名入力画面３２７が表示される。
【０１０６】
ステップＳ７１、ステップＳ７２、ステップＳ７５のいずれかのファイル名入力画面３２７において、ユーザにより“戻る”釦ｊ２が押下されず（ステップＳ７６；ＮＯ）、ファイル名及びパスワードが入力され（ステップＳ７７）、ＯＫ釦ｊ３が押下されると、表示部３１に、読み込み画面が表示される。なお、パスワードは必要に応じて入力すればよく、パスワード無しでも登録可能である。読み込み画面にて読み込み条件が設定され、スタート釦が押下されることにより、設定された読み込み条件に基づいて画像読取部２０により画像の読み込みが行われ、ステップＳ７７で入力されたファイル名で画像データがハードディスク８０に保存される（ステップＳ７８）。
【０１０７】
ステップＳ６８において、図２７に示すＢＯＸ名選択画面３２６にて“戻る”釦ｉ２が押下された場合には（ステップＳ６８；ＹＥＳ）、表示部３１に、１階層上位のユーザ名一覧が表示される（ステップＳ６３）。
【０１０８】
また、ステップＳ７６において、図２８に示すファイル名入力選択画面３２７にて“戻る”釦ｊ２が押下された場合には（ステップＳ７６；ＹＥＳ）、表示部３１に、１階層上位のＢＯＸ名一覧が表示される（ステップＳ６７）。
【０１０９】
第４の実施の形態における画像形成装置によれば、階層構造の上位階層から下位階層に向かって選択操作を行う際に、途中のフォルダの表示を省略し、予めしおりが付与されたフォルダの１階層下位のフォルダ又はファイルを表示するので、階層構造をなして保存される画像データの保存に対する操作手順を簡略化することができる。
【０１１０】
また、選択操作の進行方向が下位階層から上位階層に向かう方向の際には、表示されるべきフォルダにしおりが付与されているか否かにかかわらず、順次１階層上位のフォルダを表示することができる。
【０１１１】
なお、上記各実施の形態における記述は、本発明に係る好適な画像形成装置の例であり、これに限定されるものではない。画像形成装置を構成する各部の細部構成及び細部動作に関しても本発明の趣旨を逸脱することのない範囲で適宜変更可能である。
【０１１２】
例えば、上記各実施の形態では、画像データ保存手段としてハードディスク８０を用いたが、これに限定されず、ＤＶＤ（Digital Versatile Disk）、Blu-ray Disc等であってもよい。
【図面の簡単な説明】
【０１１３】
【図１】第１の実施の形態における画像形成装置１の断面構成図である。
【図２】ハードディスク８０内の階層構造の例を示す図である。
【図３】画像形成装置１の内部構成を示すブロック図である。
【図４】第１の実施の形態の画像形成装置１により実行される画像読み出し処理１を示すフローチャートである。
【図５】ユーザ名選択画面３１１の表示例である。
【図６】パスワード入力画面３１２の表示例である。
【図７】ＢＯＸ名選択画面３１３の表示例である。
【図８】パスワード入力画面３１４の表示例である。
【図９】ファイル名選択画面３１５の表示例である。
【図１０】ファイル名選択画面３１５におけるファイル名の選択方法を説明するための図である。
【図１１】ファイル名選択画面３１５におけるファイル名の選択方法を説明するための図である。
【図１２】第２の実施の形態の画像形成装置により実行される画像保存処理１を示すフローチャートである。
【図１３】ユーザ名選択画面３１６の表示例である。
【図１４】パスワード入力画面３１７の表示例である。
【図１５】ＢＯＸ名選択画面３１８の表示例である。
【図１６】パスワード入力画面３１９の表示例である。
【図１７】ファイル名入力画面３２０の表示例である。
【図１８】読み込み画面３２１の表示例である。
【図１９】ユーザ名登録画面３２２の表示例である。
【図２０】ＢＯＸ名登録画面３２３の表示例である。
【図２１】ハードディスク８０内の階層構造と画面表示の関係を示す図である。
【図２２】ハードディスク８０内の階層構造と画面表示の関係を示す図である。
【図２３】ＢＯＸ名選択画面３２４の表示例である。
【図２４】ファイル名選択画面３２５の表示例である。
【図２５】第３の実施の形態の画像形成装置により実行される画像読み出し処理２を示すフローチャートである。
【図２６】ハードディスク８０内の階層構造と画面表示の関係を示す図である。
【図２７】ＢＯＸ名選択画面３２６の表示例である。
【図２８】ファイル名入力画面３２７の表示例である。
【図２９】第４の実施の形態の画像形成装置により実行される画像保存処理２を示すフローチャートである。
【符号の説明】
【０１１４】
１  画像形成装置
１０  制御部
１１  画像制御部
１２  プログラムメモリ
１３  ＲＡＭ
１４  記憶部
１５  読取処理部
１６  ＤＲＡＭ制御ＩＣ
１７  画像メモリ
１８  書込処理部
１９  ハードディスク処理部
２０  画像読取部
２１  ＡＤＦ部
２２  スキャナ部
２３  読取制御部
３０  操作部
３１  表示部
３２  操作部制御部
４０  プリンタ部
４２  画像形成部
４４  プリンタ制御部
５０  給紙ユニット
６０  後処理ユニット
７０  プリントコントローラ部
８０  ハードディスク
【図１】
2006021347.tif 000003
【図２】
2006021347.tif 000004
【図３】
2006021347.tif 000005
【図４】
2006021347.tif 000006
【図５】
2006021347.tif 000007
【図６】
2006021347.tif 000008
【図７】
2006021347.tif 000009
【図８】
2006021347.tif 000010
【図９】
2006021347.tif 000011
【図１０】
2006021347.tif 000012
【図１１】
2006021347.tif 000013
【図１２】
2006021347.tif 000014
【図１３】
2006021347.tif 000015
【図１４】
2006021347.tif 000016
【図１５】
2006021347.tif 000017
【図１６】
2006021347.tif 000018
【図１７】
2006021347.tif 000019
【図１８】
2006021347.tif 000020
【図１９】
2006021347.tif 000021
【図２０】
2006021347.tif 000022
【図２１】
2006021347.tif 000023
【図２２】
2006021347.tif 000024
【図２３】
2006021347.tif 000025
【図２４】
2006021347.tif 000026
【図２５】
2006021347.tif 000027
【図２６】
2006021347.tif 000028
【図２７】
2006021347.tif 000029
【図２８】
2006021347.tif 000030
【図２９】
2006021347.tif 000031